【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
発光手段と、
入力された各フレームの画像に基づいて、前記発光手段からの光を変調して画面に画像を表示する表示手段と、
各フレームが、所定の低輝度画像が表示される特定期間の直後のフレームか否かを判断する第１判断手段と、
前記第１判断手段が、前記特定期間の直後のフレームでないと判断したフレームについて、当該フレームの画像の明るさに応じた輝度で前記発光手段の発光を制御し、前記第１判断手段が、前記特定期間の直後のフレームであると判断した対象フレームについて、前記対象フレームの画像の明るさに応じた輝度と前記所定の低輝度画像の明るさに応じた輝度との間の輝度で前記発光手段の発光を制御する制御手段と、
を備えることを特徴とする表示装置。
【請求項２】
前記特定期間は、前記表示手段に画像が入力されない期間である
ことを特徴とする請求項１に記載の表示装置。
【請求項３】
前記表示装置の動作モードが切り替えられたときに、切り替え前の動作モードの期間と切り替え後の動作モードの期間との間に前記特定期間を設定する設定手段をさらに有することを特徴とする請求項１または２に記載の表示装置。
【請求項４】
前記動作モードは、前記発光手段の発光輝度の制御モードである
ことを特徴とする請求項３に記載の表示装置。
【請求項５】
前記所定の低輝度画像は、黒画像、ブルー画像、グレー画像、および白画像の輝度の半分より低い輝度の画像のうち、少なくとも１つの画像である
ことを特徴とする請求項１〜４のいずれか１項に記載の表示装置。
【請求項６】
前記制御手段は、前記対象フレームについて、前記対象フレームの画像の明るさと所定の高輝度画像の明るさとの差分に応じた変化量で、前記対象フレームの直前のフレームに対する前記発光手段の輝度を変化させた輝度で、前記発光手段の発光を制御する
ことを特徴とする請求項１〜５のいずれか１項に記載の表示装置。
【請求項７】
前記所定の高輝度画像は、白画像の輝度の半分以上の輝度の画像である
ことを特徴とする請求項６に記載の表示装置。
【請求項８】
前記所定の高輝度画像は、白画像である
ことを特徴とする請求項６に記載の表示装置。
【請求項９】
前記制御手段は、前記第１判断手段が、前記対象フレームでないと判断したフレームについて、当該フレームの画像の明るさと直前のフレームの画像の明るさとの差分に応じた変化量で、前記直前のフレームに対する前記発光手段の輝度を変化させた輝度で、前記発光手段の発光を制御する
ことを特徴とする請求項１〜８のいずれか１項に記載の表示装置。
【請求項１０】
前記対象フレームについて、前記対象フレームの画像の明るさに応じた輝度で前記発光手段の発光を制御した場合にちらつきが発生するか否かを判断する第２判断手段をさらに有し、
前記制御手段は、
前記第１判断手段が、前記特定期間の直後のフレームであると判断し、且つ、前記第２判断手段が、ちらつきが発生しないと判断したフレームについて、当該フレームの画像の明るさに応じた輝度で前記発光手段の発光を制御し、
前記第１判断手段が、前記特定期間の直後のフレームであると判断し、且つ、前記第２判断手段が、ちらつきが発生すると判断したフレームについて、当該フレームの画像の明るさに応じた輝度と前記所定の低輝度画像の明るさに応じた輝度との間の輝度で前記発光手段の発光を制御する
ことを特徴とする請求項１〜９のいずれか１項に記載の表示装置。
【請求項１１】
前記第２判断手段は、前記対象フレームの画像の明るさが第１閾値以上の場合にちらつきが発生すると判断し、前記対象フレームの画像の明るさが前記第１閾値未満の場合にちらつきが発生しないと判断する
ことを特徴とする請求項１０に記載の表示装置。
【請求項１２】
前記第２判断手段は、前記対象フレームの画像の明るさと前記特定期間の直前のフレームの画像の明るさとの差分が第２閾値以上の場合にちらつきが発生しないと判断し、前記差分が前記第２閾値未満の場合にちらつきが発生すると判断する
ことを特徴とする請求項１０に記載の表示装置。
【請求項１３】
発光手段と、
入力された各フレームの画像に基づいて、前記発光手段からの光を変調して画面に画像を表示する表示手段と、
前記フレームの画像の明るさに応じて、前記発光手段の発光を制御する制御手段と、
を備え、
前記制御手段は、所定の明るさよりも低い明るさの第１フレームの画像が表示されたあとに前記第１フレームの画像よりも明るい第２フレームの画像が前記表示手段に表示される場合に、前記第２フレームの画像の明るさに応じた輝度と前記第１フレームの画像の明るさに応じた輝度との間の輝度で前記発光手段の発光を制御し、そうでない場合に、前記第２フレームの画像の明るさに応じた輝度で、前記発光手段の発光を制御する
ことを特徴とする表示装置。
【請求項１４】
発光手段と、
入力された各フレームの画像に基づいて、前記発光手段からの光を変調して画面に画像
を表示する表示手段と、
を有する表示装置の制御方法であって、
各フレームが、所定の低輝度画像が表示される特定期間の直後のフレームか否かを判断する第１判断ステップと、
前記第１判断ステップで前記特定期間の直後のフレームでないと判断されたフレームについて、当該フレームの画像の明るさに応じた輝度で前記発光手段の発光を制御し、前記第１判断ステップで前記特定期間の直後のフレームであると判断された対象フレームについて、前記対象フレームの画像の明るさに応じた輝度と前記所定の低輝度画像の明るさに応じた輝度との間の輝度で前記発光手段の発光を制御する制御ステップと、
を有することを特徴とする表示装置の制御方法。
【請求項１５】
発光手段と、
入力された各フレームの画像に基づいて、前記発光手段からの光を変調して画面に画像を表示する表示手段と、
を有する表示装置の制御方法であって、
前記フレームの画像の明るさに応じて、前記発光手段の発光を制御する制御ステップを有し、
前記制御ステップでは、所定の明るさよりも低い明るさの第１フレームの画像が表示されたあとに前記第１フレームの画像よりも明るい第２フレームの画像が前記表示手段に表示される場合に、前記第２フレームの画像の明るさに応じた輝度と前記第１フレームの画像の明るさに応じた輝度との間の輝度で前記発光手段の発光を制御し、そうでない場合に、前記第２フレームの画像の明るさに応じた輝度で、前記発光手段の発光を制御する
ことを特徴とする表示装置の制御方法。
【請求項１６】
請求項１４または請求項１５に記載の表示装置の制御方法の各ステップをコンピュータに実行させることを特徴とするプログラム。 
【手続補正２】
【補正対象書類名】明細書
【補正対象項目名】０００７
【補正方法】変更
【補正の内容】
【０００７】
本発明の第１の態様は、
発光手段と、
入力された各フレームの画像に基づいて、前記発光手段からの光を変調して画面に画像を表示する表示手段と、
各フレームが、所定の低輝度画像が表示される特定期間の直後のフレームか否かを判断する第１判断手段と、
前記第１判断手段が、前記特定期間の直後のフレームでないと判断したフレームについて、当該フレームの画像の明るさに応じた輝度で前記発光手段の発光を制御し、前記第１判断手段が、前記特定期間の直後のフレームであると判断した対象フレームについて、前記対象フレームの画像の明るさに応じた輝度と前記所定の低輝度画像の明るさに応じた輝度との間の輝度で前記発光手段の発光を制御する制御手段と、
を備えることを特徴とする表示装置である。
本発明の第２の態様は、
発光手段と、
入力された各フレームの画像に基づいて、前記発光手段からの光を変調して画面に画像を表示する表示手段と、
前記フレームの画像の明るさに応じて、前記発光手段の発光を制御する制御手段と、
を備え、
前記制御手段は、所定の明るさよりも低い明るさの第１フレームの画像が表示されたあとに前記第１フレームの画像よりも明るい第２フレームの画像が前記表示手段に表示される場合に、前記第２フレームの画像の明るさに応じた輝度と前記第１フレームの画像の明るさに応じた輝度との間の輝度で前記発光手段の発光を制御し、そうでない場合に、前記第２フレームの画像の明るさに応じた輝度で、前記発光手段の発光を制御する
ことを特徴とする表示装置である。
【手続補正３】
【補正対象書類名】明細書
【補正対象項目名】０００８
【補正方法】変更
【補正の内容】
【０００８】
本発明の第３の態様は、
発光手段と、
入力された各フレームの画像に基づいて、前記発光手段からの光を変調して画面に画像を表示する表示手段と、
を有する表示装置の制御方法であって、
各フレームが、所定の低輝度画像が表示される特定期間の直後のフレームか否かを判断する第１判断ステップと、
前記第１判断ステップで前記特定期間の直後のフレームでないと判断されたフレームについて、当該フレームの画像の明るさに応じた輝度で前記発光手段の発光を制御し、前記第１判断ステップで前記特定期間の直後のフレームであると判断された対象フレームについて、前記対象フレームの画像の明るさに応じた輝度と前記所定の低輝度画像の明るさに応じた輝度との間の輝度で前記発光手段の発光を制御する制御ステップと、
を有することを特徴とする表示装置の制御方法である。
本発明の第４の態様は、
発光手段と、
入力された各フレームの画像に基づいて、前記発光手段からの光を変調して画面に画像を表示する表示手段と、
を有する表示装置の制御方法であって、
前記フレームの画像の明るさに応じて、前記発光手段の発光を制御する制御ステップを有し、
前記制御ステップでは、所定の明るさよりも低い明るさの第１フレームの画像が表示されたあとに前記第１フレームの画像よりも明るい第２フレームの画像が前記表示手段に表示される場合に、前記第２フレームの画像の明るさに応じた輝度と前記第１フレームの画像の明るさに応じた輝度との間の輝度で前記発光手段の発光を制御し、そうでない場合に、前記第２フレームの画像の明るさに応じた輝度で、前記発光手段の発光を制御する
ことを特徴とする表示装置の制御方法である。
【手続補正４】
【補正対象書類名】明細書
【補正対象項目名】０００９
【補正方法】変更
【補正の内容】
【０００９】
本発明の第５の態様は、上述した表示装置の制御方法の各ステップをコンピュータに実行させることを特徴とするプログラムである。 
【手続補正５】
【補正対象書類名】明細書
【補正対象項目名】００３７
【補正方法】変更
【補正の内容】
【００３７】
次に、制御部１０７が、現フレームが特定表示期間（バックライト制御モードの切り替えに伴う画像ミュートの期間）の直後のフレームであるか否かを判断する（Ｓ１００２）。現フレームが特定表示期間の直後のフレームであると判断された場合には、Ｓ１００３へ処理が進められ、現フレームが特定表示期間の直後のフレームでないと判断された場合には、Ｓ１００５へ処理が進められる。
特定表示期間の直後のフレームについて、そのフレームの入力画像データの特徴量に応じた値にバックライト３０の発光輝度を制御すると、バックライト３０の発光輝度が急激に変化してしまうことがある。そのため、本実施例では、Ｓ１００２の判断を行い、判断結果に応じて次に行う処理を切り替えている。 
【手続補正６】
【補正対象書類名】明細書
【補正対象項目名】００３８
【補正方法】変更
【補正の内容】
【００３８】
Ｓ１００３では、ちらつき判断部１０８，２０８が、現フレームの入力画像データの特徴量（明るさ）が第１の閾値以上か否かを判断する。
上述したように、本実施例では、現フレームの画像データが明るいほど高い値にバックライト３０の発光輝度が制御される。そして、特定表示期間では、所定の低輝度画像データ（黒画像データ）が表示されるため、バックライト３０の発光輝度は低い値に制御される。そのため、現フレームの入力画像データの明るさが明るいほど、バックライト３０の発光輝度の上昇量が高く、ちらつきが発生する可能性も高い。一方、現フレームの入力画像データの明るさが暗いほど、バックライト３０の発光輝度の上昇量は低く、ちらつきが発生する可能性も低い。
そのため、ちらつき判断部１０８，２０８は、現フレームの入力画像データの特徴量が第１の閾値以上であると判断した場合に、ちらつきが発生すると判断する。そして、Ｓ１００４へ処理が進められる。
また、ちらつき判断部１０８，２０８は、現フレームの入力画像データの特徴量が第１の閾値未満であると判断した場合に、ちらつきが発生しないと判断する。そして、Ｓ１００５へ処理が進められる。
Ｓ１００３の判断結果に応じて次に行う処理が切り替えられるため、ちらつきが発生する可能性が高い場合にのみ、ちらつきを低減する処理を行うことができる。
なお、第１の閾値はどのような値であってもよい。第１の閾値は、メーカによって予め定められた固定値であってもよいし、ユーザが変更可能な値であってもよい。例えば、所定の低輝度画像データの特徴量が０であり、特徴量の取り得る値の最大値が２５５である場合には、第１の閾値として、１００，１５０，２００などが使用される。 
【手続補正７】
【補正対象書類名】明細書
【補正対象項目名】００４１
【補正方法】変更
【補正の内容】
【００４１】
上述したように、本実施例では、現フレームの画像データが明るいほど高い値にバックライト３０の発光輝度が制御される。具体的には、現フレームの画像データの特徴量と直前のフレームの画像データの特徴量と特徴量との差分に応じた変化量で現フレームの直前のフレームについての発光輝度を変化させた値に、発光輝度が制御される。
しかしながら、特定表示期間の直後のフレームであると判断され、且つ、ちらつきが発生すると判断されたフレームについてそのような処理を行ってしまうと、ちらつきが発生
してしまう。
そこで、本実施例では、そのようなフレームについては、例外的に、現フレームの入力画像データの特徴量と高輝度画像データの特徴量との差分を用いて、バックライト３０の発光輝度を制御する。現フレームの入力画像データの特徴量が高い場合には、現フレームの入力画像データの特徴量と高輝度画像データの特徴量との差分は小さな値となるため、発光輝度の変化量を低減することができ、ちらつきを低減することができる。 
【手続補正８】
【補正対象書類名】明細書
【補正対象項目名】００６９
【補正方法】変更
【補正の内容】
【００６９】
次に、制御部１０７が、現フレームが特定表示期間の直前のフレームであるか否かを判断する（Ｓ２００２）。現フレームが特定表示期間の直前のフレームであると判断された場合には、Ｓ２００３へ処理が進められ、現フレームが特定表示期間の直前のフレームでないと判断された場合には、Ｓ２００４へ処理が進められる。 
【手続補正９】
【補正対象書類名】明細書
【補正対象項目名】００７１
【補正方法】変更
【補正の内容】
【００７１】
Ｓ２００４では、制御部１０７が、実施例１（図３）のＳ１００２と同様に、現フレームが特定表示期間の直後のフレームであるか否かを判断する。現フレームが特定表示期間の直後のフレームであると判断された場合には、Ｓ２００５へ処理が進められ、現フレームが特定表示期間の直後のフレームでないと判断された場合には、Ｓ２００７へ処理が進められる。